(57)【要約】ＤＣＣＨまたはＳＣＨの送信電力制御を改善するフレームシーケンス番号を始めとする情報を用いた無線通信システムおよびその方法を提供する。このシステムは、回復されたデータフレームが、正常な、削除された、または未送信のデータフレームか否かを判定するためのフレームタイプ判定手段（３２）を有する無線基地局（ＢＴＳ）（１４）を含んでいる。セレクタ分配ユニット（ＳＤＵ）（１６）は、受信した正常なデータフレームからのシーケンス番号に基づいて、フレームタイプ判定手段によりなされたフレームタイプ判定が正しいことを確認するフレームタイプ確認処理ブロック（３６）と、確認処理ブロックによりなされたフレームタイプ判定確認に基づいて、加入者装置の送信電力制御情報を送信する送信電力制御ブロック（３８）とを含んでいる。
2006506023.tif 000002
【特許請求の範囲】
【請求項１】
データサービスチャネルのフレーム誤り率を低減する方法であって、
現在送信されているフレームＮを受信すると同時に、第１の先に送信されたフレームＮ−１の状態を正常フレーム、削除フレーム、および未送信フレームの１つとして判定する工程；
前記第１の先に送信されたフレームＮ−１が削除フレームおよび未送信フレームの１つであると判定された場合に、前記現在送信されているフレームＮと、前記第１の先に送信されたフレームＮ−１に先立って送信された第２の先に送信されたフレームＮ−２との無線リンクプロトコル（ＲＬＰ）のシーケンス番号間の差を判定する工程；
前記現在送信されているフレームＮと、前記第２の先に送信されたフレームＮ−２とのＲＬＰシーケンス番号間の差が２未満と判定された場合に、前記第１の先に送信されたフレームＮ−１を未送信フレームとして確認する工程；および
前記現在送信されているフレームＮと、前記第２の先に送信されたフレームＮ−２とのＲＬＰシーケンス番号間の差が２以上と判定された場合に、前記第１の先に送信されたフレームＮ−１を削除フレームとして確認する工程；
から成る方法。
【請求項２】
前記第１の先に送信されたフレームＮ−１を削除フレームとして確認する工程に基づき、送信電力制御情報を調整することをさらに含む請求項１記載の方法。
【請求項３】
前記現在送信されているフレームＮと、前記第２の先に送信されたフレームＮ−２とのＲＬＰシーケンス番号間の差が２未満と判定された場合に、前記第１の先に送信されたフレームＮ−１を未送信フレームとして確認する工程が、
前記現在送信されているフレームＮと前記第２の先に送信されたフレームＮ−２が正常フレームであるとき、前記現在送信されているフレームＮと、前記第２の先に送信されたフレームＮ−２とのＲＬＰシーケンス番号間の差が２未満と判定された場合に、前記第１の先に送信されたフレームＮ−１を未送信フレームとして確認することを含み、
前記現在送信されているフレームＮと、前記第２の先に送信されたフレームＮ−２とのＲＬＰシーケンス番号間の差が２以上と判定された場合に、前記第１の先に送信されたフレームＮ−１を削除フレームとして確認する工程が、
前記現在送信されているフレームＮと前記第２の先に送信されたフレームＮ−２が正常フレームであるとき、前記現在送信されているフレームＮと、前記第２の先に送信されたフレームＮ−２とのＲＬＰシーケンス番号間の差が２以上と判定された場合に、前記第１の先に送信されたフレームＮ−１を削除フレームとして確認することを含む、
請求項１記載の方法。
【請求項４】
通信チャネルのフレーム誤り率を低減する方法であって、
現在送信されているフレームＮを受信すると同時に、第１の先に送信されたフレームＮ−１の状態を正常フレーム、削除フレーム、および未送信フレームの１つとして判定する工程；
前記第１の先に送信されたフレームＮ−１が削除フレームおよび未送信フレームの１つであると判定された場合に、前記現在送信されているフレームＮ中の第１のシーケンス番号と、前記第１の先に送信されたフレームＮ−１に先立って送信された第２の先に送信されたフレームＮ−２中の第２のシーケンス番号とを比較する工程；および
前記現在送信されているフレームＮ中の第１のシーケンス番号と、前記第１の先に送信されたフレームＮ−１に先立って送信された第２の先に送信されたフレームＮ−２中の第２のシーケンス番号の比較結果に基づいて、前記第１の先に送信されたフレームＮ−１が削除フレームか否かを確認する工程；
から成る方法。
【請求項５】
前記第１の先に送信されたフレームＮ−１が削除フレームか否かを確認する工程に基づき、送信電力を調整することをさらに含む請求項４記載の方法。
【請求項６】
前記第１の先に送信されたフレームＮ−１が削除フレームか否かを確認する工程は、前記第１シーケンス番号と第２のシーケンス番号間の差の算出によって得られる差が２以上か否かに基づいている、請求項４記載の方法。
【請求項７】
前記第１シーケンス番号と第２のシーケンス番号間の差が２未満と判定された場合に、前記第１の先に送信されたフレームＮ−１を未送信フレームとして確認することをさらに含む、請求項４記載の方法。
【請求項８】
通信チャネルの送信電力を制御する方法であって、
主として削除フレームと未送信フレームの１つから成る連続バーストを受信するのに先立って、第１の正常フレームを受信する工程；
第２の正常フレームが現在受信しているフレームとして検出されるまで、受信したフレームをモニタする工程；
前記第１の正常フレームと第２の正常フレームに含まれるシーケンス番号に基づいて、先に受信したフレームになされた、過去の削除フレームおよび未送信フレームのタイプの推定を評価する工程；
過去の削除フレームおよび未送信フレームのタイプの推定の前記評価に基づいて、過去のフレームタイプの推定誤りが発生していたか否かを判定する工程；および
フレームタイプの推定誤りが生じていた場合に、送信電力制御の適切な調整を行いフレームタイプの推定誤りを補正する工程；
から成る方法。
【請求項９】
前記第１の正常フレームと第２の正常フレームに含まれるシーケンス番号に基づいて、過去の削除フレームおよび未送信フレームのタイプの推定を評価する工程が、多くの検出されている削除フレームと未送信フレームの１つを、前記第１の正常フレームのＲＬＰシーケンス番号と前記第２の正常フレームのＲＬＰシーケンス番号との間のＲＬＰシーケンス番号の差と比較することをさらに含む、請求項８記載の方法。
【請求項１０】
第２の正常フレームが現在受信しているフレームとして検出されるまで受信したフレームをモニタする工程に先立って、主として削除フレームと未送信フレームの１つから成る連続バーストの１つのフレーム以外のすべてが、削除フレームとして検出された場合に、主として削除フレームまたは未送信フレームから成る連続バーストの該１つのフレームも削除フレームと推定する工程；および
第２の正常フレームが現在受信しているフレームとして検出されるまで受信したフレームをモニタする工程に先立って、主として削除フレームと未送信フレームの１つから成る連続バーストの１つのフレーム以外のすべてが、未送信フレームとして検出された場合に、主として削除フレームまたは未送信フレームから成る連続バーストの該１つのフレームも未送信フレームであると推定する工程；
の少なくとも１つをさらに含む、請求項８記載の方法。
【請求項１１】
前記主として削除フレームと未送信フレームの１つから成る連続バーストは、前記第１および第２の正常フレームと、前記第２の正常フレームの直前に送信された少なくとも３つのフレームとを有する、請求項８記載の方法。
【請求項１２】
無線通信システムであって、
通信チャネルで無線加入者装置との通信を容易にするトランシーバと、前記無線加入者
装置の１つ以上から送信されたデータフレームを回復するデコーダと、前記回復されたデータフレームのそれぞれが正常な、削除された、および未送信のデータフレームの１つか否かを判定するフレームタイプ判定手段と、を含んだ無線基地局（ＢＴＳ）；および
前記フレームタイプ判定手段から回復されたデータフレームだけでなく、正常な、削除された、および未送信のフレームタイプ判定の１つを示す追加のフレームタイプインジケータも受信し、正常なフレームタイプインジケータが追加された前記回復されたデータフレームから無線リンクプロトコル（ＲＬＰ）シーケンス番号を抽出し、前記フレームタイプ判定が正しいことを確認し、フレームタイプ判定確認に基づいて、加入者装置の送信電力制御情報を与える、セレクタ分配ユニット（ＳＤＵ）；
を有する無線通信システム。
【請求項１３】
正常なフレームタイプインジケータが追加された前記回復されたデータフレームからのＲＬＰシーケンス番号に基づいて、フレームタイプ判定が正しいことを確認するフレームタイプ確認ブロックをさらに含む、請求項１２記載の無線通信システム。
【発明の詳細な説明】
【技術分野】
【０００１】
本発明は無線通信に関し、特に送信電力制御を改善し、それによって専用制御チャネル（ＤＣＣＨ）または補助チャネル（ＳＣＨ）を始めとする不連続送信を使用している符号分割多元接続（ＣＤＭＡ）のチャネル容量を増加させる方法および装置に関する。
【背景技術】
【０００２】
現在の符号分割多元接続（ＣＤＭＡ）通信のプロトコルでは、専用制御チャネル（ＤＣＣＨ）リンクが、主としてファイルのダウンロード／アップロード、インターネットアクセス、および電子メール機能を始めとするデータサービス通信に使用されている。ＤＣＣＨチャネルおよび補助チャネル（ＳＣＨＳ）は、送信すべき情報があるときには、送信機がイネーブルされて、フレームがエアインタフェースを介して送信され、送信すべき情報がないときには、送信機が停止またはディスエーブルされる不連続送信（ＤＴＸ）技術または技法を使用している。ＣＤＭＡシステムでは、チャネル容量、すなわち換言するとＣＤＭＡエアインタフェースを介してサポート可能な呼数は、構成加入者装置を始めとするあらゆる送信機で消費される総体的な送信電力に反比例する。したがって、アクティブ呼数を最大にするためには、加入者装置のそれぞれが、適切な呼またはリンク品質を維持するのに最適な、最小の送信電力レベルを維持していることが重要である。
【０００３】
このような最小の送信電力レベルおよび適切な呼品質を維持するために、ＣＤＭＡリバースＤＣＣＨリンクのアウターループ送信電力制御アルゴリズムが、例えば無線サービスプロバイダの移動交換局で通常実行されている。送信電力制御アルゴリズムは、送信されたＤＣＣＨフレームが正常か、削除されてしまったか、または送信されなかった（未送信）（ＤＴＸ）かの判定を他のパラメータと共に用いて、ＤＣＣＨのリバースリンク送信電力（例えば加入者送信機の送信電力レベル）を駆動している動的パラメータであるアウターループしきい値（ＯＬＴ）を制御している。
【０００４】
さらに具体的に説明すると、正常フレームを受信すると、上記送信電力制御アルゴリズムは次のようにＯＬＴを調整する。
ＯＬＴ（Ｎ）＝ＯＬＴ（Ｎ−１）−（ＲＰＣ＿Ｓｔｅｐ＿Ｄｏｗｎ＊Ｓｔｅｐ＿Ｄｏｗｎ  ＿Ｆａｃｔｏｒ）
上記計算式において、ＲＰＣ＿Ｓｔｅｐ＿Ｄｏｗｎは通常固定の送信電力値であり、Ｓｔｅｐ＿Ｄｏｗｎ＿Ｆａｃｔｏｒは、リバースフレーム削除率（ＦＥＲ）の目標値と実際のＦＥＲの関数である。
【０００５】
削除フレームを受信すると、上記送信電力制御アルゴリズムは次のようにＯＬＴを調整する。
ＯＬＴ（Ｎ）＝ＯＬＴ（Ｎ−１）＋（ＲＰＣ＿Ｓｔｅｐ＿Ｕｐ＊Ｓｔｅｐ＿Ｕｐ＿Ｆａｃｔｏｒ）
この計算式において、ＲＰＣ＿Ｓｔｅｐ＿Ｕｐは通常固定の送信電力値であり、Ｓｔｅｐ＿Ｕｐ＿Ｆａｃｔｏｒは、リバースフレーム削除率（ＦＥＲ）の目標値と実際のリバースＦＥＲの関数である。
【０００６】
未送信フレームであるＤＴＸフレームを受信すると、送信電力制御アルゴリズムは調整を行わない。したがって、適切または正確な送信電力制御を行うためには、削除フレーム、すなわちチャネルによって引き起こされた誤りにより復号されなかった、または適切に受信できなかったフレームと、ＤＴＸフレームとを識別することが重要になる。
【０００７】
サービスプロバイダの無線基地局（ＢＴＳ）に通常プログラムされているＤＣＣＨレート判定アルゴリズム（ＲＤＡ）は、フレームが正常か、削除されたか、またはＤＴＸか否かの判定を実際に行っていて、このアルゴリズムは、ＣＲＣ（ｃｙｃｌｉｃ  ｒｅｄｕｎｄａｎｃｙ  ｃｈｅｃｋｉｎｇ、巡回冗長検査）確認、シンボル誤り率、および品質基準値のような基本チャネル（ＦＣＨ）のマルチレート判定アルゴリズムによる情報と同様な情報に基づいている。ＦＣＨ上の誤判定フレームは、音声品質の低下およびＲＬＰ（無線リンクプロトコル）の異常終了といった問題を生じさせるが、ＦＣＨ上の誤判定フレームは通常、稀にしか発生しないので、ＦＣＨ送信電力制御に著しい影響を与えない。
【０００８】
しかし、ＤＣＣＨ上で誤判定フレームが発生する確率は、不連続送信フレームの性質、および他の制限や欠点により非常に大きくなる。これは、ＯＬＴとしてリバースリンク容量に負の影響を与えるので、リバースチャネル平均送信電力が、その現在のレベルで実際に保持されるべきときに増加するといった事態がしばしば発生する。類似の負の影響が、例えばＩＳ−２０００補助チャネル（ＳＣＨ）上のフレーム誤判定に対しても発生する。
【０００９】
したがって、送信電力制御性能を改善し、それによってＣＤＭＡシステムにおけるＤＣＣＨまたはＳＣＨのチャネル容量を増加させる方法と装置が必要とされている。
添付の図面は、類似の参照番号が個別の図面全体にわたり同一または機能的に類似の構成要素を示すと共に、下記の詳細な説明と共に明細書に組み込まれ、かつ明細書の一部を構成しているが、種々の実施態様をさらに示し、本発明による種々の原理および利点のすべてについて説明する役割を果たしている。
（発明の開示）
総括すると、本開示は、システムおよび設備のユーザに情報サービスを提供するシステム、方法、および設備または装置に関し、特に送信電力制御の性能を向上させ、それによって、符号分割多元接続システム（ＣＤＭＡ）におけるＤＣＣＨまたはＳＣＨのチャネルを始めとする不連続送信チャネルの容量を拡張させる技術に関する。より詳細には、不連続送信チャネル上の削除フレームと未送信フレームをより正確に区別するシステムおよび方法に具体化された種々の発明概念や原理について、検討し、説明している。この正確さを改善することにより、これらのチャネルに使用される送信電力制御方式に適用される結果として生じる不正確さによるチャネル容量を低下させる影響を回避することができる。特に関連するシステムは、ＩＳ−９５および９５Ｂ、ＩＳ２０００、ならびにＵＭＴＳまたは広帯域ＣＤＭＡといった標準で定義されているようなＣＤＭＡシステムである。
【００１０】
本発明による種々の実施態様を製造および使用する最良の形態を実施可能な方法でさらに説明するために、本開示が提供される。本発明の発明原理およびその利点に対する理解と認識を向上させるために本開示はさらに提供されるが、本会時はいかなる方法においても本発明を制限するものではない。本発明の範囲は、本出願の係属中に成されたあらゆる補正を含む請求項と、発行された請求項のすべての均等物とによってのみ定義される。
【００１１】
例えば第１と第２、上部と底部のような、関係を表す用語の使用は、もしあるとすれば、ある要素または作用から他の要素または作用を区別するためにのみ使用されているものであって、このような要素または作用間の実際のそのような関係または順序を必ずしも必要としたり、または意味したりするものではないことをさらに理解されたい。発明的機能の多く、および発明的原理の多くは、ソフトウェアプログラムや命令、または特定用途向けＩＣを始めとする集積回路（ＩＣ）により、またはその中で実行される。当業者は、ここに開示している概念および原理に従って導かれた場合、例えば利用可能な時間、現在の技術、および経済的考慮によって動機づけられる最大限の努力や多くの設計選択にかかわらず、最小限の実験でこのようなソフトウェア命令およびＩＣを容易に生成できるものと予想される。したがって、説明を簡潔にし、本発明による原理および概念を曖昧にする危
険性を最小にするために、そのようなソフトウェアについてのさらなる説明は、あるとしても、好ましい実施態様で使用される原理および概念の必須事項に限られる。
【発明を実施するための最良の形態】
【００１２】
ここで、類似の参照番号が類似の部品を示す図面を参照する。図１は、移動加入者装置（加入者装置）１２と、無線基地局（ＢＴＳ）１４と、セレクタ分配ユニット（ＳＤＵ）１６とを含む典型的なシステム環境を示している。加入者装置１２は、ＩＳ−９５、ＩＳ−９５Ｂ、ＩＳ−２０００、またはＵＭＴＳを始めとする従来の無線プロトコルを使用して、ＢＴＳ１４とＳＤＵ１６通して他の類似の無線装置または公衆交換電話網地上通信線装置と通信できる任意の形式の符号分割多元接続（ＣＤＭＡ）無線電話、データまたはメッセージング装置であってもよい。
【００１３】
以下にさらに詳細に説明するように、ＢＴＳ１４およびＳＤＵ１６は、アウターループしきい値（ＯＬＴ）の精度を向上させ、それによって無線リンクプロトコル（ＲＬＰ）のシーケンス番号を使用したインバウンド送信電力制御性能を向上させることにより、ファイルのダウンロード／アップロード、インターネットアクセス、および電子メール機能を始めとするデータサービスにＣＤＭＡ専用制御チャネル（ＤＣＣＨ）と補助チャネル（ＳＣＨ）のいずれかまたはその両方を使用できるように構成されている。ＲＬＰシーケンス番号がエンドユーザデータフレームに追加され、エンドアプリケーションがそれ自身のデータの完全性の確認を行うのに先立って、データシーケンスが実行および確認されることを可能にすることにより、電子メールサーバ、インターネット、またはパーソナルコンピュータ（図示されない）を始めとするエンドアプリケーションで受信されるエンドユーザデータの完全性を著しく改善する。ＲＬＰシーケンス番号は、データフレームがいつ喪失または削除されたかを判定し、次に喪失したフレームの再送信を要求するのに使用することができる。
【００１４】
加入者装置１２は、本説明には関係がないので図１には図示していない電圧制御発振器、基準発振器、ループフィルタ、アナログ／デジタル変換器、およびデジタル／アナログ変換器を始めとする多くの周知の装置を含んでいる。従来の送信機１８と受信機２０とを含んでいることに加えて、加入者装置１２はＲＬＰ発生器２２を含む。ＲＬＰ発生器２２は、外部のパーソナルコンピュータ（図示されない）を始めとするソースアプリケーションまたはワイヤレスアクセスプロトコル（ＷＡＰ）ブラウザ（図示されない）を始めとする移動データアプリケーションからユーザデータをを受信し、そのデータをＲＬＰデータフレーム（全体を通じてより一般的にはデータフレームまたはフレームとも呼ばれる）に組み立て、順次増加するＲＬＰシーケンス番号をそのフレームに逐次付ける。加入者装置１２は、畳み込みまたはターボ符号器（図示されない）と、周期冗長検査（ＣＲＣ）ブロックとを含んだフォワード誤りコーディング（ＦＥＣ）処理ブロック２４も含んでいる。ＦＥＣ処理ブロック２４は、送信機１８がフレームをＢＴＳ１４に無線チャネルで送信するときにソースアプリケーションにより付加ビットを生成して組み立てられたフレームにオーバーヘッドビットを適用し、フレームの誤り防止を提供する（例えば、受信機は受信フレームの誤り検出および修正を行うことができる）。これらのフレームは、送信機１８が送信すべきフレームがあるときにオンになり、送信すべきフレームがないときにオフになる不連続送信（ＤＴＸ）を使用したチャネル上を送信される。このようなＣＤＭＡチャネルの実施態様は、専用データ制御チャネル（ＤＣＣＨ）と補助チャネル（ＳＣＨ）のいずれかまたはその両方を含んでいる。
【００１５】
加入者装置１２と同様に、ＢＴＳ１４は、本説明に関係がないので図１には示していない多く周知の装置または要素を含んでいる。ＢＴＳ１４も、加入者装置１２から送信されたデータフレームをデジタルビットの形式で受信する受信機２６と、加入者装置１２にデータを送信する送信機２８とを含んでいる。受信機２６は受信したデジタルビットをＦＥ
Ｃデコーダ３０に渡し、ＦＥＣデコーダ３０は、かなりの数の誤りが送信データにある場合でも、チャネルによって引き起こされた誤りを検出、修正でき、それによってもとの入力データ、すなわちオリジナルデータビットおよびフレームを回復する。フレームタイプ判定手段３２は、復号されたデータフレームのみならず、復号されたデータフレームに含まれるシンボル誤り率（ＳＥＲ）、周期冗長検査（ＣＲＣ）結果、およびフレームエネルギー情報を始めとするフレーム品質情報も受信する。フレームタイプ判定手段３２にプログラムされたレート判定アルゴリズム（ＲＤＡ）は、フレーム品質情報から、受信されたフレームが正常または削除されたか、あるいはフレームが送信されなかったか（ＤＴＸ）を判定する。
【００１６】
正常なデータフレームとは、送信、受信されて、正しく復号されたフレームのことである。削除フレームとは、送信されたが間違って受信されたか、または正しく復号されなかったので再送信を必要とするフレームのことである。これについて論じるため、フレームが送信されない場合、すなわちフレームの未送信が発生した場合を、ＤＴＸフレームと呼ぶことにする。あいにく、受信機にはフレームが送信されたか否かがわからないので、受信機またはデコーダにとって、削除フレームとＤＴＸフレームは同一に見えることが多い（例えば、復号することができない）。フレーム決定手段すなわちＲＤＡは、削除フレームとブランクフレームすなわちＤＴＸフレームとの違いを識別する手助けはできるが、現在のＲＤＡは、特に予想されるＤＴＸフレームが多数である場合には、正確に識別しないことが多い。いずれにしろ、ＦＥＣデコーダ３０とフレームタイプ判定手段３２はいずれも、ＢＴＳ処理回路にプログラムされたソフトウェアアルゴリズムによって、またはそれぞれのソフトウェアアルゴリズムを表現する特定用途向けＩＣ（ＡＳＩＣ）を始めとするハードウェアによって実現することができる。
【００１７】
ＳＤＵ１６は、基地局制御装置（図示されない）の中またはその近傍、もしくは集中交換局の中に例えば存在するＢＴＳ１４から遠隔に実装されるのが好ましく、回復されたフレームが正常な場合に回復されたフレームをフレームタイプ判定手段３２から受信するのみならず付加のフレームタイプインジケータ（正常フレーム、削除フレーム、ＤＴＸ（未送信）フレーム）も受信するＲＬＰ受信機３４を含んでいる。ＲＬＰ受信機３４は、ＲＬＰシーケンス番号に基づいて、もとのユーザデータを復元する。ＲＬＰ受信機３４は、欠けたシーケンス番号を検出した場合、加入者装置１２の送信機１８にＮＡＫを送信するかまたはＮＡＫを他の装置に送信させることにより、再送信を要求することができる。ＲＬＰ受信機３４は、ユーザデータを含んだ正常フレームを、例えばパケットデータサービスノードモデム（図示されない）を始めとする中間回路を介して、上述の電子メールサーバ、インターネット、またはパーソナルコンピュータ（図示されない）を始めとするユーザアプリケーションへ渡す。ＲＬＰ受信機３４はまた、受信フレーム（正常フレーム）からＲＬＰシーケンス番号を抽出し、ＲＬＰシーケンス番号のみならずフレームタイプ判定手段３２からの出力もフレームタイプ確認処理ブロック３６へ渡す。
【００１８】
以下により詳細に説明するように、フレームタイプ確認処理ブロック３６は、送信電力制御アルゴリズムすなわちＰＣＡを含むようにプログラムされている。ＰＣＡは、フレームタイプ判定手段３２でのレート判定アルゴリズムすなわちＲＤＡによってなされたフレーム判定が正しかったことを確認し、次に、より一般的には送信電力制御情報と呼ばれているＳｔｅｐ＿ＵｐまたはＳｔｅｐ＿Ｄｏｗｎフォワードリンク送信電力制御メッセージのいずれかを、フレームが削除フレームかまたは正常フレームかにそれぞれ応じて、ＢＴＳ１４を通して加入者装置１２に送信するように送信電力制御ブロック３８に指示する。送信電力制御ブロック３８は、好ましくは、アウターループしきい値（ＯＬＴ）を適切に調整することにより、Ｓｔｅｐ＿ＵｐまたはＳｔｅｐ＿ＤｏｗｎをＢＴＳ１４に示す。ＢＴＳ１４は、このＯＬＴを使用して、リバースリンク送信機出力を増加させるか減少させるか、すなわちパワーアップするかパワーダウンするかを加入者装置１２に指示する。フ
レームタイプがＤＴＸフレームの場合、フレームタイプ確認処理ブロック３６は、送信電力制御ブロック３８に指示して、ＯＬＴの調整またはリバースリンク送信機出力の変更がないことを加入者装置１２に示す送信電力制御メッセージを送信する。その結果、誤って呼び出されるかまたは削除フレームと見なされたＤＴＸフレームにより、送信電力制御が不正確になり、特にインバウンド送信機出力レベルが増加すべきでないときに増加するという結果を招く。これは次に、インバウンドチャネル容量が低下する結果になる。
【００１９】
ここで図１および図２を参照し、ＤＣＣＨレート判定アルゴリズム（ｒａｔｅ  ｄｅｔｅｒｍｉｎａｔｉｏｎ  ａｌｇｏｒｉｔｈｍ：ＲＤＡ）および送信電力制御アルゴリズム（ｐｏｗｅｒ  ｃｏｎｔｒｏｌ  ａｌｇｏｒｉｔｈｍ：ＰＣＡ）によって行われるＤＣＣＨ送信電力制御方法について説明する。すなわち、ステップ５０で、現在送信されているフレームＮがフレームタイプ確認ブロック３６で受信された場合、ＰＣＡは、現在送信されているフレームＮの直前に送信された、第１の先に送信されたフレームＮ−１が削除フレームか否かを最初に判定する。フレームＮ−１が削除フレームではないとＰＣＡが判定した場合には、ステップ５２で、ＰＣＡは、フレームＮ−１がＤＴＸフレームか否かを最初に判定する。フレームＮ−１がＤＴＸフレームでない場合、ステップ５４で、ＰＣＡはフレームＮ−１が正常フレームであると判定し、方法は終了する。方法が終了するとは、これについて論じるため、送信電力制御ブロック３８がＰＣＡの判定結果に基づいて、アウターループしきい値を調整したり、調整しなかったりするという事実のことを指している。
【００２０】
ステップ５０で、フレームＮ−１が削除フレームであるとＰＣＡが最初に判定した場合には、ステップ５６で、ＰＣＡは現在のフレームＮが削除フレームか否かの判定を進める。フレームＮが削除フレームであるとＰＣＡが判定した場合、もとの判定を否定する情報が何もないので、ステップ５８で、フレームＮ−１が削除フレームであることが確定し、方法は終了する。ステップ５６で、フレームＮが削除フレームではないとＰＣＡが判定した場合には、ステップ６０で、ＰＣＡは確認のためにフレームＮがＤＴＸフレームか否かを判定する。フレームＮがＤＴＸフレームであるとＰＣＡが判定した場合、もとの判定を否定する情報が何もないので、ステップ６２で、フレームＮ−１が削除フレームであることが確定し、方法は終了する。
【００２１】
フレームＮが削除フレームでもＤＴＸフレームでもないとＰＣＡが判定した場合、ステップ６４で、ＰＣＡは次に、フレームＮとＮ−２がともに正常フレームと仮定して、現在送信されているフレームＮと、第１の先に送信されたフレームＮ−１に先立って送信された第２の先に送信されたフレームＮ−２とのＲＬＰシーケンス番号間の差が２未満か否かを判定する。ステップ６６で、フレームＮとＮ−２のＲＬＰシーケンス番号間の差が２未満とＰＣＡが判定した場合には、第１の先に送信されたフレームＮ−１がＤＴＸフレームであったことが確定する。したがって、ＰＣＡは、フレームＮとＮ−２のＲＬＰシーケンス番号間の差が１の場合には、フレームタイプ判定手段３２により削除フレームであると最初に判定されたフレームが、実際にはＤＴＸフレームであると判定する。
【００２２】
フレームＮとＮ−２のＲＬＰシーケンス番号間の差が２以上とＰＣＡが判定した場合、ステップ６８で、ＰＣＡは、第１の先に送信されたフレームＮ−１が削除フレームであることの確認を確定し、続いて方法は終了する。例えばＤＣＣＨの場合、ＰＣＡは、フレームＮとＮ−２のＲＬＰシーケンス番号間の差が２の場合、削除フレームであるとＲＤＡによって最初に判定されたフレームＮ−１が、確かに削除フレームであると判定する。ただし、例えば１６ＸＳＣＨフレームが８つのＲＬＰフレームを含んだＳＣＨの場合には、ＰＣＡは、フレームＮとＮ−２のＲＬＰシーケンス番号間の差が９の場合、削除フレームであるとＲＤＡによって最初に判定されたフレームＮ−１が、確かに削除フレームであると判定する。
【００２３】
ステップ５２で、先に送信されたフレームＮ−１がＤＴＸフレームであるとＰＣＡが最初に判定した場合、ステップ７０で、ＰＣＡは、現在のフレームＮが削除フレームか否かの判定に進む。フレームＮが削除フレームであるとＰＣＡが判定した場合、もとの判定を否定する情報が何もないので、ステップ７２で、フレームＮ−１が確かにＤＴＸフレームであることが確定し、方法は終了する。しかし、ＰＣＡは、ステップ７０で、フレームＮを削除フレームではないと判定した場合には、ステップ７４で、フレームＮがＤＴＸフレームか否かを判定する。フレームＮがＤＴＸフレームであるとＰＣＡが判定した場合、もとの判定を否定する情報が何もないので、ステップ７６で、フレームＮ−１が確かにＤＴＸフレームであることが確定し、方法は終了する。
【００２４】
フレームＮが削除フレームでもＤＴＸフレームでもない場合、ステップ７８で、ＰＣＡは次に、再びフレームＮとＮ−２がともに正常フレームと仮定して、現在送信されているフレームＮと、第１の先に送信されたフレームＮ−１に先立って送信された第２の先に送信されたフレームＮ−２とのＲＬＰシーケンス番号間の差が２未満か否かを判定する。フレームＮとＮ−２とのＲＬＰシーケンス番号間の差が２未満であるとＰＣＡが判定した場合、ステップ８０で、ＰＣＡはフレームＮ−１がＤＴＸフレームであることを確認する。代わりに、ＲＬＰシーケンス番号ＮとＮ−２間の差が２以上であるとＰＣＡが判定した場合には、ステップ８２で、ＰＣＡはフレームＮ−１が削除フレームであることを確定し、続いて方法は終了する。ＰＣＡはこうしてフレーム確認精度を向上させることができ、したがって、たった１つのフレームの確認を遅らせることによるＲＬＰフレームシーケンス番号の使用によって、フレーム誤り率を減少させることができる。このレート判定精度の向上により、ＯＬＴのより正確な調整が可能になり、それによって送信電力制御管理をより正確に行い、チャネル容量を増加させることができる。
【００２５】
ＰＣＡは、特に複数の連続する削除フレームとＤＴＸフレームのいずれか一方またはその両方が生じた場合に、２フレーム以上のフレームのフレーム確認を遅らせることによって、さらに確認精度を向上させることができる。このさらなる遅延は、送信電力制御の待ち時間を増加させる結果になり、それによって送信電力制御の性能を低下させる可能性がある。しかし、フレームタイプを識別する精度の改善により得ることができる付加的な送信電力制御の精度は、そのような送信電力制御の性能の低下に関連する欠点を補って余りあるであろう。
【００２６】
すなわち、図１および図３を参照して、上記説明のＰＣＡによって行われる、短期のフレーム識別によるＤＣＣＨ送信電力制御の一実施態様を説明する。ステップ９０で、ＰＣＡは、フレームタイプ確認ブロック３６で受信される現在受信しているフレームＮが正常フレームか否かを判定する。回復されたフレームＮが正常フレームでない場合、方法は終了する。しかし、ＰＣＡが、現在受信しているフレームＮに関連した付加のフレームタイプインジケータから、現在受信しているフレームＮが正常フレームと判定した場合には、ステップ９２で、ＰＣＡは、ＲＬＰシーケンス番号を始めとするフレームタイプインジケータおよびペイロード情報に基づいて、先に送信されたフレームになされた過去の削除／ＤＴＸ判定を評価する。ステップ９４で、ＰＣＡは、過去のフレームタイプ誤りエラーが発生したか否かを判定する。誤りが発生していない場合、方法は終了する。しかし、このような誤りが発生していた場合には、ステップ９６で、ＰＣＡは、過去の誤りの検出回数に基づいて、上述のごとく加入者装置１２で送信電力制御の適切な調整を行うように送信電力制御処理ブロック３８に指示する。例えば、後でＤＴＸフレームと判定される削除フレームとして、２つのフレームが最初に識別されている場合、適切な加入者装置送信電力制御は、誤った削除識別から生じるレベルから、２回低減されるべきである。次に、他のフレームが受信されるまで、方法は終了する。
【００２７】
したがって、主として削除フレームまたはＤＴＸフレームの連続バーストが発生すると、つまり確認のために使用するＲＬＰシーケンス番号がない場合には、ＰＣＡは、短期のフレームタイプ送信識別に基づいて、最良推定を行うようにプログラムされるのが好ましい。例えばＩＳ−２０００では、加入者装置がデータ送信の最中にたった１つのフレームのために送信機（ＤＴＸ）をオフにすることは、認められていないわけではないが稀である。したがって、先に送信されたフレームＮ−３、Ｎ−２、および現在送信されているフレームＮが削除フレームで、先に送信されたフレームＮ−１がＤＴＸフレームとして検出された場合、ＰＣＡはその訂正論理を用いて、先に送信されたフレームＮ−１が削除フレームであるという最良推定値判定を行うことができる。
【００２８】
一旦ＲＬＰシーケンス番号が再開されると、換言すれば正常フレームが再び受信され始めると、ＰＣＡは次に、削除フレームまたはＤＴＸフレームの先のバースト中になされた最良推定値判定が不適切か否かを判定することができ、送信電力制御ブロック３８は次に、適切な送信電力制御調整メッセージを加入者装置１２に送信することができる。例えば、先に送信されたフレームＮ−５が正常フレームの場合、先に送信されたフレームＮ−４からＮ−１は、上記の説明のように削除フレームと判定され、次に送信される正常フレームＮのＲＬＰシーケンス番号と先に送信されたフレームＮ−５のＲＬＰシーケンス番号間の差は、６フレームシーケンスまたは期間中、２に等しくなり、４つの削除フレームの最初の判定によって、送信電力制御を４レベル増加させるコマンドが送信電力制御ブロック３８から行われることになる。ただし、シーケンス番号の差が予想した４という増加ではなく単に２だけ増加していた場合、ＰＣＡは、現在送信されているフレームＮのＲＬＰシーケンス番号が受信されると同時に、削除フレームのうち２フレームが恐らくＤＴＸフレームだったと判定することができる。その結果、送信電力制御処理ブロック３８は次に、加入者装置１２に適切な送信電力制御調整メッセージを送信することができる。
【００２９】
図２および３に関して上に説明した、ＤＣＣＨ  ＰＣＡによって行われるＤＣＣＨ送信電力制御は、１Ｘ補助チャネル（ＳＣＨ）およびＩＳ−９５Ｂの補助コードチャネル（ＳＣＣＨ）にも適用できることに注意されたい。すなわち、１ＸＳＣＨの場合、単一のエアインタフェースフレームは、ＳＣＨの送信速度に依存する固有番号を有する、複数のＲＬＰフレームを含み得る。これらの補助チャネルは、ＤＣＣＨまたはＦＣＨと同時に任意選択で送信される。同一のＲＬＰプロトコルがＤＣＣＨおよびＳＣＨに適用される。したがって、ＤＣＣＨがＲＬＰシーケンス番号５を有する新しいデータフレームを含んでいる場合、同時に送信されるＳＣＨは、シーケンス番号６で始まるＲＬＰフレームを含んでいる。連続するＤＣＣＨ間でのＲＬＰシーケンス番号の予想されるジャンプは、ＳＣＨのフレームがＤＴＸフレームだったか、ＤＴＸフレームでなかったかを判定するＳＣＨデータレートに基づいて判定することができる。
【００３０】
８つのＲＬＰフレームを含んだ１６ＸＳＣＨフレームについて言及した上記説明の実施態様において、ＰＣＡは、現在受信されているＤＣＣＨフレームＮが削除フレームであると判定する。ＰＣＡの訂正論理は次に、現在受信されているＳＣＨフレームＮの基本のＲＬＰシーケンス番号と先に受信されたＳＣＨフレームＮ−１の最後のＲＬＰシーケンス番号との間の差が１か、またはより一般的に図示した図３では、２未満か否かを判定する。そうであれば、ＰＣＡは次に、現在受信されているＤＣＣＨフレームがＤＴＸフレームと判定する。現在受信しているフレームＮがＤＴＸフレームであるとＰＣＡが判定した場合、ＰＣＡの訂正論理は次に、現在受信されているＳＣＨフレームＮの基本ＲＬＰシーケンス番号と先に受信されたＳＣＨフレームＮ−１の最後のＲＬＰシーケンス番号との間の差が２か否か、またはより一般的に図示した図３では、２以上か否かを判定する。それであれば、ＰＣＡは次に、現在受信されているＤＣＣＨフレームが削除フレームと判定する。
【００３１】
このように、ＰＣＡによって行われるＤＣＣＨ送信電力制御は、連続するＳＣＨＳ間の
ＲＬＰシーケンス番号のジャンプに基づいて、ＤＣＣＨ上のフレームが恐らくＤＴＸフレームか、または削除フレームだったかを判定することができるが、このような判定では、ＲＬＰシーケンス番号の連続する特性が維持されない再送信フレームおよびＲＬＰ制御フレームの存在により、１００％の精度が不可能なことは当業者によって理解されるであろう。
【００３２】
本開示は、本発明による種々の実施態様を実施、使用する方法について説明することを目的とし、本発明の真実の、意図した、公平な範囲と精神を制限することを意図するものではない。上記の説明は、本発明をすべて網羅することを、また本発明を開示している正確な形態に制限することを目的としているものではない。修正または変形は上記の教示に照らして行うことができる。ここに記載の実施態様は、本発明の原理とその用途を最良の例示を提供するため、また、当業者が種々の実施態様で、かつ想定される特定の使用に適する種々の修正を加えて、本発明を利用できるようにするために選択され説明されたものである。このような修正および変形はすべて、公平に、法的に、および正当に権利を与えられた範囲に従って解釈されたとき、本願の係属中に補正され得る請求項とそのすべての均等物とによって定義される本発明の範囲内にあるものとする。
【図面の簡単な説明】
【００３３】
【図１】専用制御チャネルの送信電力制御が行われる典型的なシステム動作環境のブロック図。
【図２】専用制御チャネルの送信電力制御方法をより詳細に示すフローチャート。
【図３】図２に示した専用制御チャネルの送信電力制御の拡張機能を示したフローチャート。
【図１】
2006506023.tif 000003
【図２】
2006506023.tif 000004
【図３】
2006506023.tif 000005
【国際調査報告】
2006506023.tif 000006